(57)【要約】      （修正有）【課題】スプリング等のエネルギーを、回転エネルギーに変換させて使用する事が出来る様にする。【解決手段】回転体に梃子の原理を取り入れてスプリングのエネルギーを回転エネルギーに変え、助力動力として利用出来る機構とする。回転数の少ない大型の動力機で使用し、必要に応じて回転を増速する事が出来るので、夛機に亘り利用が出来る発明である。  此の発明による具体的なエネルギーの測定はしていないが、梃子の原理を応用している為、現在の機構に比べ１０〜１５％のエネルギー節約につながると確信している。【選択図】図１
2008303868.tif 000002
【特許請求の範囲】
加圧した力を助力、動力として利用する機構
【発明の詳細な説明】
【発明の詳細な説明】
本案は梃子の原理を組み合わせた動力発生機構である。
此の発明は、▲２▼スプリング又は其の他の加圧力を動力源として利用する機構である。
▲５▼作用点−▲７▼支点−▲８▼力点と成っていますが、▲３▼回転軸に、▲７▼支点部を取り付けた事に依り、動力が発生するので、少ないエネルギーで使用出来る利点がある。
▲８▼力点で発生した力は、先端部のベアリングで自在に上下左右に動くようにした▲４▼自在板を押し上げ、自在板を斜めにする。此の時の力は、加圧するスプリングの力で発生すると同時に、回転力も発生する機構である。
加圧した力を動力エネルギーに変換出来るのであらゆる方面に利用する事が出来る。
更にこれを案に組み込んで説明すると、此の梃子の原理を▲３▼回転軸に組み込み、上下左右に動くようにした▲４▼自在板に接触させ▲３▼回転軸で発生するスプリング、空気圧等、其の他の圧力で発生する加圧力を利用し、物体を動かす力に変換利用させる事が出来る機構の発明である。▲８▼力点及び▲５▼作用点は▲４▼自在板に接触させる部分であるが▲７▼支点を除く力点と作用点の２点で支点は▲３▼回転軸と共に回転し、スプリング等で作用点に加えた力は、力点へ発生、その力は▲４▼自在板を押し上げ斜めにする。そして斜めに押し上げられた自在板と接触する。▲８▼力点及び▲５▼作用点の接触部分へ加圧された力は、回転力に変換される。この時▲４▼自在板に加わる力は、大きくなり▲７▼支点を取り付けてある▲３▼回転軸を回す力となり、回転する。即ち助力作用をする動力機構とする事が出来る。
本機構の大きな特徴は、スプリング等の力を▲１▼加圧部で。加圧しなければ、加圧動力は発生しない。又、加圧スプリング力が、大きければ発生動力も大きくなり▲９▼の出力部も大きくなるので、入力時の動力側への助力作用も大きくなる。
▲６▼梃子棒の▲７▼支点の取り付け箇所は▲３▼主軸を十字形とし、梃子を最大に利用できるようにする為、十字形の先端に取り付ける。▲３▼主軸に取り付けた▲６▼梃子棒の▲８▼力点、▲５▼作用点、それぞれのベアリングは、▲４▼自在板に接触させている。此の時点では、動力は発生しない。動力を発生させる為▲１▼加圧部に加圧すると▲２▼スプリングの加圧力が高くなり▲２▼スプリングや、外部で支えている▲４▼自在板を押し下げ▲５▼作用点のベアリングと接触、更に▲１▼加圧部で加圧すると▲８▼力点のベアリングと▲４▼自在板と接触、▲４▼自在板は、斜めにされると同時に▲８▼力点のベアリングを押し下げ▲６▼梃子棒を作用させ▲７▼支点を▲３▼十字形主軸に装着した▲３▼十字形主軸に梃子の作用で発生したバネの動力を利用する事が出来る。つまり▲４▼自在板は上下左右に動くようにしてあるが、回転はしない為▲８▼力点の接触ベアリングが、斜めにされた▲４▼自在板とに生ずる接触力が、動力に変換するものである。即ち▲８▼力点と▲７▼支点とに梃子の原理が作用し▲１▼加圧部で加えた外部からの力は、▲２▼スプリングを押し下げ▲４▼自在板をも押し下げるが、▲５▼作用点側は▲３▼十字形主軸に装着された▲７▼支点には▲５▼作用点ベアリングに阻まれるので、下がる事が出来ず▲８▼ベアリング側を押し下げると同時に▲８▼力点のアームに回転力が発生する。これが動力の発生であるので、助力動力として利用する事が出来る機構の発明である。
2008303868.tif 000003
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
スプリング等のエネルギーを加圧し其の力を、助力動力として利用する機構。
【手続補正２】
【補正対象書類名】明細書
【補正対象項目名】全文
【補正方法】変更
【補正の内容】
【発明の詳細な説明】
【０００１】１    此の発明は、梃子の原理を組合わせた動力発生機構である。２    此の発明は、スプリングの力、又は加圧に依り、発生するエネルギーを、助力動力として利用する機構である。３    回転に利用するため、最大の作用を求めるものである。其のため、回転軸を十字型として梃子の支点部を右端に取り付け、作用点の作用部分の自在板を押し上げ、自在板は斜めにされ、主軸に取り付けた梃子棒に、スプリングを取り付けた副梃子棒（先端にベアリングを取り付けてある）を２本乃至３本取り付け、自在板との接触角度が回転力を発生させるものである。  自在板は、丸い形体であるので、３６０度をＡとＢに分けると１８０度の半分を重点的に、スプリング付の副梃子棒を使用し、主軸へ回転力を発生させる機構である。４    此のように、３６０度の半分の１８０度を重点的に加圧する事に依り、外部からの加圧するスプリングとの、相互作用に依り、回転力を発生させる機構である。  変心部は自在板１８０度の頂点になる様に、セットする事に依り、梃子棒それぞれのベアリングを回転力に変えるようになるので、本体は回転する。  即ち、変心部の力で機械的に、自在板を斜めにして、其の後を追うように梃子棒それぞれのベアリングの接触力が、回転力となる機構の発明である。  本案は梃子の原理を組合わせた動力発生機構である。  此の発明は、２スプリング又は其の他の加圧力を動力源として利用し回転力を発生させようとする機構である。  原理は５作用点−７支点−８力点と成っていますが、３回転軸に、７支点部を取り付けたことに依り、動力が発生するので、少ないエネルギーで使用できる利点がある。  ８力点で発生した力は、先端部のベアリングで自在に上下左右に動くようにした４自在板を押し上げ、自在板を斜めにする。此の時の力は、加圧するスプリングの力で発生すると同時に、回転力も発生する機構である。  加圧した力を動力エネルギーに変換出来るので、あらゆる方面に利用する事が出来る。  更にこれを本案に組み込んで説明すると、此の梃子の原理を３回転軸に組み込み、上下に動くようにした４自在板に接触させ３回転軸で発生するスプリング、空気圧等、其の他の圧力で発生する加圧力を利用し、物体を動かす力に変換利用させる事が出来る機構の発明である。８力点及び５作用点は４自在板に接触させる部分であるが７支点は、３の回転軸に装着してあるので３回転軸と共に回転し、スプリング等で力点に加えた力は、作用点へ発生、その力は４自在板を押し上げ斜めにする。そして斜めに押し上げられた自在板と接触する。８力点及び５作用点の接触部分へ加圧された力は、回転力に変換される。この時の４自在板に加わる力は大きくなり７支点を取り付けてある３回転軸を回す力となり、回転する。即ち助力作用をする動力機構とする事が出来る。  本機構の大きな特徴は、スプリング等の力を１加圧部で、加圧しなければ、加圧動力は発生しない。又、加圧スプリング力が、大きければ発生動力も大きくなり９の出力部も大きくなるので、入力時の動力側への助力作用も大きくなる。  ６梃子棒の７支点の取り付け箇所は３主軸を十字型とし、梃子を最大に利用できるようにするため、十字型の先端に取り付ける。３主軸に取り付けた６梃子棒の８力点、５作用���、それぞれのベアリングは、４自在板に接触させている。  此のほか、６の梃子棒には、三角印の１２副梃子棒を取り付け、自在板と接触させる。此の副梃子棒の数が多いほど、回転し易くなり、同時に回転力も大きくなる。  動力を発生させるため、１４の加圧機構で１加圧部に加圧すると２スプリングの加圧力が高くなり２スプリングや、外部で支えている４自在板を押し下げ５作用点のベアリングと接触、更に１加圧部で加圧すると８力点のベアリングと４自在板と接触、４自在板は、斜めにされると同時に８力点のベアリングを押し下げ６梃子棒を作用させ７支点を３十字型主軸に装着した３十字型主軸に梃子の作用で発生したバネの動力を利用する事が出来る。  つまり４自在板は上下左右に動くようにしてあるが、回転はしないため８力点の接触ベアリングが、斜めにされた４自在板とに生ずる接触力が、動力に変換するものである。  即ち８力点７支点とに梃子の原理が作用し１加圧部で加えた外部からの力は、２スプリングを押し下げ４自在板をも押し下げるが、５作用点側は３十字型主軸に装着された７支点には５作用点ベアリングに阻まれるので、下がる事が出来ず８ベアリング側を押し下げると同時に８力点のアームに回転力が発生する。此の時に１２副梃子棒が大きく作用する。これが動力の発生の原理であるので、助力動力として利用する事が出来る機構の発明である。９のプーリーに外部から入力して、回転すると、３主軸に装着してある１５の変心部機構が作用し、２スプリングを揺り動かす機構なので、４自在板の動きと合わせることが大切である。此の様にして本機を利用すると、スプリングエネルギー等加圧できるものであれば、動力助力機構として使える発明である。
【図面の簡単な説明】
【符号の説明】
１    外部から、スプリングを加圧すると同時に、本機の作動時に（回転した時）変心作動するため、加圧スプリングを振り動かす部分２    加圧スプリング、自在板の上下に取り付け、自在板を支える３    十字型主軸、梃子棒の支点を取り付けるための十字型４    自在板が回転しないで斜めにされる事に依って、スプリング圧を動力に変換する部分５    梃子棒の作用点のベアリング、他の作用点のベアリングが、加圧された自在板を妨げるので、自在板は斜めにされた動力の発生源となる部分６    点線で表した梃子棒（７の支点で上下するように十字型主軸へ取付けた梃子棒）７    梃子棒の支点部で十字型主軸へ取付け回転する部分８    梃子棒の力点部ベアリング９    入力部及び出力部のプーリー１０  本機構全体のベアリング１１  外枠１２  三角印は梃子棒へ、第２、第３のスプリング付の副梃子棒の取り付け箇所１２Ａ自在板へスプリング付の副梃子棒のベアリングの接触部分１３  自在板を中心で支え乍ら、自在板を上下に動かすことが出来る自在ベアリング１４  スプリングを加圧する機構１５  変心のベアリング１６  自在板の上下運動のための他、自在板の回転止め１７  主軸と共に回転する変心部分であると共にスプリングを振り動かす作用をする部分（但し、此の変心部は自在板を１８０度の頂点になる様にセットする）
【図１】
１    加圧部２    加圧スプリング３    十字型主軸４    自在板５    梃子棒の作用点のベアリング６    梃子棒７    梃子棒支点部８    梃子棒力点部ベアリング９    入力及び出力プーリー１０  ベアリング１１  外枠１２  三角印は副梃子棒の取付け箇所１２Ａ三角印は副梃子棒ベアリング接触部１３  自在ベアリング１４  スプリング加圧機構１５  変心部ベアリング１６  自在板回転止め
【図２】
３    十字型主軸４    自在板５    作用点ベアリング８    力点ベアリング１２Ａベアリングの接触部１３  自在板ベアリング１６  自在板回転止め      ……は１８０度の片側利用印
【図３】
１    加圧部３    十字型主軸１５  変心ベアリング１７  変心部
【手続補正３】
【補正対象書類名】図面
【補正対象項目名】全図
【補正方法】変更
【補正の内容】
【図１】
2008303868.tif 000004
【図２】
2008303868.tif 000005
【図３】
2008303868.tif 000006